(57)【特許請求の範囲】
【請求項１】
裁断する紙をシュレッダーカッターに送る紙送り装置に向けて紙を押し付けるプレスプレートを含む自動シュレッダーのプレス機構において、
ボディに回動自在に取り付けられた第１固定プレート、前記ボディに固定された第２固定プレート、前記プレスプレートと前記第１固定プレートとの間に設けられたリンク機構、前記第１固定プレートに固定接続されるとともに前記ボディに回動自在に取り付けられた上カバーを含み、
前記リンク機構は、
第１リンク、第２リンク、第３リンク、第４リンク、前記第１リンクを介して弾性力により前記プレスプレートを押し付ける弾性部品を含み、
前記第１固定プレートの回動に伴って、前記プレスプレートを、前記紙送り装置に向けて紙を押し付ける押し付け位置と、裁断する紙を前記紙送り装置に投入できるように退避する退避位置との間を移動させ、
前記第１固定プレートが前記第２固定プレートに対して直交となる位置に回動した場合に、前記プレスプレートと前記第１固定プレートとの距離を最大とし、前記第１固定プレートが前記第２固定プレートに対して平行となる位置に回動した場合に、前記プレスプレートと前記第１固定プレートとの距離を最小とし、
前記プレスプレートに第１ガイドスロットが設けられ、前記第１リンクの一端が前記第１ガイドスロット中にスライド接続され、前記第１リンクのもう一端が前記第１固定プレートと回転接続され、
前記弾性部品の一端が前記第１固定プレートと回転接続され、前記弾性部品のもう一端が前記第１リンクと回転接続され、
前記第２リンクの一端が前記第１リンクと回転接続され、前記第２リンクのもう一端が前記プレスプレートと回転接続され、
前記第３リンクの一端に第２ガイドスロットが設けられ、前記第４リンクの一端に第３ガイドスロットが設けられ、前記第１リンクにピンシャフトが設けられ、前記ピンシャフトが前記第２ガイドスロット中にスライド接続され、前記第３リンクのもう一端が前記第３ガイドスロット中にスライド接続され、前記第３リンクがさらに前記第１固定プレートと回転接続され、
前記第４リンクのもう一端が前記第２固定プレートと回転接続され、
前記上カバーが開き始めた場合、前記第４リンクが前記第３リンクを連動して回転させ、前記第３リンクが回転するとき前記第１リンクを引き起こして前記上カバーが開く方向に運動させ、前記弾性部品が圧縮され、前記プレスプレートは前記第１リンクによって引き起こされ、前記第２リンクは前記プレスプレートが閉じる方向に戻らないように保ち、
前記上カバーを前記第１固定プレートが前記第２固定プレートに対して平行となる位置まで開く場合、前記第４リンクが前記第３リンクを引っ張って、前記第１リンクを前記第１固定プレート側に引き寄せ、前記弾性部品は圧縮されて死点位置に入り、前記プレスプレートは前記第１固定プレートと平行に前記第１固定プレート側に引き起こされることを特徴とする自動シュレッダーのプレス機構。
【請求項２】
前記ピンシャフトが円柱形であることを特徴とする請求項１に記載の自動シュレッダーのプレス機構。
【発明の詳細な説明】
【技術分野】
【０００１】
本発明は、シュレッダーに関し、特に自動シュレッダーのプレス機構に関する。
【背景技術】
【０００２】
シュレッダーは２本のローラー対のシュレッダーカッターによって投入された紙または書類を破砕する。現在使用されているシュレッダーの大部分は手動シュレッダーであり、使用者は破棄する書類を若干部ずつに分けてシュレッダーの入口に投入する必要がある。何枚も重ねた書類を破砕する場合、使用者は多くの時間を割いてシュレッダーのそばで紙を分けて投入する必要があり、貴重な時間が浪費される。
【０００３】
現在、あるタイプの自動シュレッダーを開発した会社もあるが、紙送り効率はすべてあまり高くなく、グリップ能力も強くない。その原理はプリンタに類似し、巻込みローラーによって紙を１枚ずつシュレッダーカッターに巻込み、１枚ごとの紙はほぼ首尾相接して巻込みローラーを通過し、１枚目の破砕が終わってからでないと２枚目は破砕されず、効率が低く、且つ破砕された紙をきちんと排出することが求められ、破砕された書類の清潔性に対する要求が高い。
【０００４】
内蔵式自動紙送り機構は、プリンタ式のシュレッダーと比べて紙送り効率およびグリップ能力の面で大きく改善されたが、このタイプのシュレッダーは紙を紙送りローラーに押し付ける必要があり、このためシュレッダーの上カバーにプレス機構を備える必要がある。しかし現在のシュレッダーは紙投入時に使用者が手動でプレス機構を操作する必要があり、不便である。
【発明の概要】
【発明が解決しようとする課題】
【０００５】
このことに鑑み、従来のシュレッダーのプレス機構の操作が不便であるという問題について、操作が便利な自動シュレッダーのプレス機構を提供する必要がある。
【課題を解決するための手段】
【０００６】
自動シュレッダーのプレス機構は、裁断する紙をシュレッダーカッターに送る紙送り装置に向けて紙を押し付けるプレスプレート、ボディに回動自在に取り付けられた第１固定プレート、前記ボディに固定された第２固定プレート、プレスプレートと第１固定プレートとの間に設けられたリンク機構を含み、前記リンク機構は、前記第１固定プレートの回動に伴って、前記プレスプレートを、前記紙送り装置に向けて紙を押し付ける押し付け位置と、裁断する紙を前記紙送り装置に投入できるように退避する退避位置との間を移動させる。
【０００７】
前記第１固定プレートに固定接続されるとともに前記ボディに回動自在に取り付けられた上カバーをさらに有する。
【０００８】
前記リンク機構は、前記第１固定プレートが前記第２固定プレートに対して直交となる位置に回動した場合に、前記プレスプレートと前記第１固定プレートとの距離を最大とし、前記第１固定プレートが前記第２固定プレートに対して平行となる位置に回動した場合に、前記プレスプレートと前記第１固定プレートとの距離を最小とする。
【０００９】
前記リンク機構が弾性部品、第１リンク、第２リンク、第３リンク、第４リンクを含み、プレスプレートに第１ガイドスロットが設けられ、前記第１リンクの一端が前記第１ガイドスロット中にスライド接続され、前記第１リンクのもう一端が前記第１固定プレートと回転接続され、前記弾性部品の一端が前記第１固定プレートと回転接続され、前記弾性部品のもう一端が前記第１リンクと回転接続され、前記第２リンクの一端が前記第１リンクと回転接続され、前記第２リンクのもう一端が前記プレスプレートと回転接続され、前記第３リンクの一端に第２ガイドスロットが設けられ、前記第４リンクの一端に第３ガイドスロットが設けられ、前記第１リンクに前記ピンシャフトが設けられ、前記ピンシャフトが前記第２ガイドスロット中にスライド接続され、前記第３リンクのもう一端が前記第３ガイドスロット中にスライド接続され、前記第３リンクがさらに前記第１固定プレートと回転接続され、前記第４リンクのもう一端が前記第２固定プレートと回転接続される。また、前記上カバーが開き始めた場合、前記第４リンクが前記第３リンクを連動して回転させ、前記第３リンクが回転するとき前記第１リンクを引き起こして前記上カバーが開く方向に運動させ、前記弾性部品が圧縮され、前記プレスプレートは前記第１リンクによって引き起こされ、前記第２リンクは前記プレスプレートが閉じる方向に戻らないように保つ。前記上カバーを前記第１固定プレートが前記第２固定プレートに対して平行となる位置まで開く場合、前記第４リンクが前記第３リンクを引っ張って、前記第１リンクを前記第１固定プレート側に引き寄せ、前記弾性部品は圧縮されて死点位置に入り、前記プレスプレートは前記第１固定プレートと平行に前記第１固定プレート側に引き起こされる。
【００１０】
好ましくは、前記ピンシャフトは円柱形である。
【発明の効果】
【００１１】
リンク機構は、第１固定プレートの回動に伴って、プレスプレートを、紙送り装置に向けて紙を押し付ける押し付け位置と、裁断する紙を紙送り装置に投入できるように退避する退避位置との間を移動させる。このため、上記自動シュレッダーのプレス機構は操作が便利である。
【００１２】
第１固定プレートに上カバーを固定接続することによって、操作がより一層便利な自動シュレッダーを提供することができる。すなわち、上記自動シュレッダーが上カバーを開け、または閉める場合、リンク機構によってプレスプレートを駆動する。上カバーが開けられる場合、プレスプレートはリンク機構によって引き起こされ、上カバーとともに開く。紙を投入し上カバーを閉める場合、プレスプレートはリンク機構によって開かれ、紙の上に平滑に押し付けられ、リンク機構は圧力を発生すると同時に、紙を下方の紙送り装置にしっかりと押し付ける。このため、上記自動シュレッダーのプレス機構は操作が便利である。
【図面の簡単な説明】
【００１３】
【図１】自動シュレッダーを示す図である。
【図２】上カバーを一定の角度開いた場合の自動シュレッダーを示す図である。
【図３】上カバーを９０度開いた場合の自動シュレッダーを示す図である。
【発明を実施するための形態】
【００１４】
図１は自動シュレッダーを示す図である。自動シュレッダーは一般的にシュレッダーカッター１０、紙送り機構１１、プレス機構等の部品からなり、紙送り機構１１はシュレッダーカッター１０の上方に設けられ、プレス機構は紙送り機構１１の上方に設けられる。紙送り機構１１は裁断する紙をシュレッダーカッターに送るように構成され、紙送りローラーを備えている。
【００１５】
プレス機構は自動シュレッダーボディ（ボディに相当する）に回動自在に取り付けられた第１固定プレート１２０、ボディに固定された第２固定プレート２０、紙送り装置１１に向けて紙を押し付けるプレスプレート１６、２つのリンク機構を含む。２つのリンク機構は、第１固定プレート１２０や上カバー１２の回動軸の両端側に配置されている。なお、少なくとも１つのリンク機構を備えていれば良い。２つのリンク機構の接続方法は同一である。各リンク機構は弾性部品１３、第１リンク１４、第２リンク１５、第３リンク１７、第４リンク１９を含む。
【００１６】
リンク機構は、第１固定プレート１２０の回動に伴って、プレスプレート１６を、紙送り装置１１に向けて紙を押し付ける押し付け位置（図１に示される位置）と、裁断する紙を紙送り装置１１に投入できるように退避する退避位置（図２に示される位置、好ましくは図３に示される位置）との間を移動させる。
【００１７】
自動シュレッダーのプレス機構は、第１固定プレート１２０に固定接続されるとともにボディに回動自在に取り付けられた上カバー１２をさらに有している。
【００１８】
リンク機構は、第１固定プレート１２０が第２固定プレート２０に対して直交となる位置に回動した場合に、プレスプレート１６と第１固定プレート１２０との距離を最大とし（図１を参照）、第１固定プレート１２０が第２固定プレート２０に対して平行となる位置に回動した場合に、プレスプレート１６と第１固定プレート１２０との距離を最小としている（図３を参照）。
【００１９】
第１固定プレート１２０は自動シュレッダーの上カバー１２と固定接続され、上カバー１２は自動シュレッダーボディの周りを９０度回転できる。
【００２０】
プレスプレート１６に第１ガイドスロット１６０が設けられ、第１リンク１４の一端が第１ガイドスロット１６０中にスライド接続され、第１リンク１４のもう一端が第１固定プレート１２０と回転接続される。
【００２１】
弾性部品１３の一端が第１固定プレート１２０と回転接続され、弾性部品１３のもう一端が第１リンク１４と回転接続される。
【００２２】
第２リンク１５の一端が第１リンク１４と回転接続され、第２リンク１５のもう一端がプレスプレート１６と回転接続される。
【００２３】
第３リンク１７の一端に第２ガイドスロット１７０が設けられ、第４リンク１９の一端に第３ガイドスロット１９０が設けられ、第１リンク１４に円柱形ピンシャフト１４０が設けられ、ピンシャフト１４０が第２ガイドスロット１７０中にスライド接続され、第３リンク１７のもう一端が第３ガイドスロット１９０中にスライド接続される。第３リンク１７はさらに第１固定プレート１２０と回転接続される。
【００２４】
第４リンク１９のもう一端は第２固定プレート２０と回転接続される。
【００２５】
図２は上カバーを一定の角度開いた場合の自動シュレッダーを示す図である。上カバー１２が一定の角度開く場合、第４リンク１９が第３リンク１７を連動して回転させ、第３リンク１７が回転するとき第１リンク１４を引き起こして上向きに運動させ、弾性部品１３が圧縮され、プレスプレート１６は第１リンク１４によって引き起こされ、第２リンク１５の作用はプレスプレート１６の運動時に反転が発生しないように保つことである。
【００２６】
図３は上カバーを９０度開いた場合の自動シュレッダーを示す図である。上カバー１２を完全に９０度の位置まで開く場合、第４リンク１９が第３リンク１７を引っ張って、第１リンク１４を第１固定プレート１２０の位置近くまで引き寄せ、弾性部品１３は完全に圧縮されて死点位置に入る。プレスプレート１６は平行に第１固定プレート１２０の位置近くまで引き起こされる。
【００２７】
上記自動シュレッダーが上カバー１２を開け、または閉める場合、リンク機構によってプレスプレート１６を駆動する。上カバー１２が開けられる場合、プレスプレート１６はリンク機構によって引き起こされ、上カバー１２とともに開く。紙３０を投入し上カバー１２を閉める場合、プレスプレート１６はリンク機構によって開かれ、紙３０の上に平滑に押し付けられ、リンク機構は圧力を発生すると同時に、紙３０を下方の紙送り機構１１の紙送りローラーにしっかりと押し付ける。このため、上記自動シュレッダーのプレス機構の操作は便利である。
【００２８】
以上に述べた実施形態は本発明の数種類の実施方法を表したのみであり、その描写はより具体的で詳細ではあるが、これによって本発明に対する範囲の制限になると理解してはならない。指摘しておかなければならないのは、本分野の一般の当業者にとっては、本発明構想から離脱しないことを前提として、さらに若干の変形および改良を作り出すことは可能であり、これらはすべて本発明の保護範囲に属するということである。このため、本発明の保護範囲は添付の特許請求の範囲を基準としなければならない。
【符号の説明】
【００２９】
１０    シュレッダーカッター
１２    上カバー、
１２０  第１固定プレート、
１３    弾性部品、
１４    第１リンク、
１４０  ピンシャフト、
１５    第２リンク、
１６    プレスプレート、
１６０  第１ガイドスロット、
１７    第３リンク、
１７０  第２ガイドスロット、
１９    第４リンク、
１９０  第３ガイドスロット、
２０    第２固定プレート、
３０    紙。
【図１】
0005635293.tif 000002
【図２】
0005635293.tif 000003
【図３】
0005635293.tif 000004